(57)【要約】【課題】  開口状態で紐が袋体の中へ垂れ下がらず、紐の両端が移動せず、紐で袋体を吊り下げることで袋体の開口部が閉じる吊り閉じ手提げ紙袋を提供する。【解決手段】  少なくても前後で対面する面対称の前壁と背壁とで袋体を形成し、該前壁と該背壁の上部の各々へ略水平方向へ並ぶ穿孔を四箇所ずつ貫通状態で開け、該穿孔の内側二箇所を一方と他方の吊穴とし、該穿孔の外側二箇所を一方と他方の滑穴とし、該穿孔へ通す紐を設け、該紐の一方を一方の該吊穴に通して固定し、該紐の他方を他方の滑穴に通して対岸の他方の滑穴へ通し、該紐を引き上げて袋体を吊るすことで開口部が閉じる構造にして設ける。【選択図】  図１
2015024844.tif 000002
【特許請求の範囲】
【請求項１】
少なくても前後で対面する面対称の前壁と背壁とで袋体を形成し、該前壁と該背壁の上部の各々へ略水平方向に並ぶ穿孔を四箇所ずつ開け、該穿孔の内側二箇所を一方と他方の吊穴とし、該穿孔の外側二箇所を一方と他方の滑穴とし、該穿孔へ通す紐を設け、該紐の一方を一方の該吊穴に通して固定し、該紐の他方を他方の滑穴に通して対岸の滑穴を引き寄せる箇所を設けることで、該紐を引き上げて袋体を吊るすことで該前壁と背壁の天縁どうしが引き寄せられて開口部が閉じる構造にしたことを特徴とする吊り閉じ袋。
【請求項２】
紐を一方と他方の二本で設け、一方の紐の一方の端を前壁の一方の吊穴へ外（前）から通した該紐の一方の端へ一方の吊玉を設けて固定し、該一方の紐の他方の端を前壁の他方の滑穴へ外（前）から通して対岸の背壁の他方の滑穴へ内（前）から通した該紐端へ対岸の滑穴を引き寄せる箇所として他方の寄せ玉を設けて固定し、他方の紐の他方の端を背壁の他方の吊穴へ外（背）から通した該紐の他方の端へ他方の吊玉を形成して固定し、該他方の紐の一方の端を背壁の一方の滑穴へ外（背）から通して対岸の前壁の一方の滑穴へ内（背）から通した該紐端へ対岸の滑穴を引き寄せる箇所として一方の寄せ玉を設けて固定したことを特徴とする請求項１記載の吊り閉じ袋。
【請求項３】
紐を一本で設け、該紐の一方の端を前壁の一方の吊穴へ外（前）から通した前記一方の端へ一方の吊玉を形成して固定し、該紐の他方の端を前壁の他方の滑穴へ外（前）から通して対岸の背壁の他方の滑穴へ内（前）から通して対岸の滑穴を引き寄せる箇所として設けた肩掛け域を経由して背壁の一方の滑穴へ外（背）から通して対岸の前壁の一方の滑穴へ内（背）から通して該前壁の他方の吊穴へ外（前）から通して前記他方の端へ他方の吊玉を形成して固定したことを特徴とする請求項１記載の吊り閉じ袋。
【請求項４】
紐を一方と他方の二本で設け、一方の紐の一方の端を前壁の一方の吊穴へ外（前）から通した該紐の一方の端へ一方の吊玉を形成して固定し、該一方の紐の他方の端を背壁の他方の滑穴へ外（背）から通して対岸の前壁の他方の滑穴へ内（背）から通した該紐端へ対岸の滑穴を引き寄せる箇所として他方の寄せ玉を設けて固定し、他方の紐の他方の端を前壁の他方の吊穴へ外（前）から通した該紐の他方の端へ他方の吊玉を形成して固定し、該他方の紐の一方の端を背壁の一方の滑穴へ外（背）から通して対岸の前壁の一方の滑穴へ内（背）から通した該紐端へ対岸の滑穴を引き寄せる箇所として一方の寄せ玉を設けて固定したことを特徴とする請求項１記載の吊り閉じ袋。
【発明の詳細な説明】
【技術分野】
【０００１】
本発明は、紐で吊り提げることで袋体の開口部を閉じる構造にした手提げ袋に関する物である。
【背景技術】
【０００２】
従来の吊り閉じ構造の手提げ袋は、紐の両端を連結して環状にすることで袋体の前後の壁を引き寄せて閉じる構造であり、先行技術文献ごとに述べるならば、前壁と背壁の上部に有する穿孔へ紐を前後から通して、前後に出た紐領域を引き上げることで袋体が吊り下げられて前後の壁の上辺が伸直（伸びて真っ直ぐ）状態で引き寄せられて開口部が閉じる構造（文献１）の物、袋体の上部の左右両端領域に設けられたヒダが折り重なって襠面上部が袋体上部の中央へ引き寄せられて閉じる構造（文献２）の物、滑穴と内穴を繋いで外に出た紐の領域を脇域として該脇域どうしを取手で繋いで吊り提げる構造（文献３）の物であった。
【先行技術文献】
【特許文献】
【０００３】
【特許文献１】特開平１１−３４２９５４号
【特許文献２】特開平１１−１７１２１０号
【特許文献３】特開２００９−１８４６８０号
【発明の概要】
【発明が解決しようとする課題】
【０００４】
従来の技術で、文献１は襠面上に位置する紐領域が袋体の中へ垂れ下がるので中身の出し入れに支障をきたし、紐端が袋体に固定されていないので紐の端である結び目が移動して紐の位置が定まらないなどの支障をきたし、文献２は前壁と背壁の左右両側上部を折り重ねての襠面上部を中央へ引き寄せる形状なので収納できる容量が減る他、ヒダを折る箇所が増えたり穿孔が増えるので紐の通し箇所が増えたりし、文献３は脇域どうしを繋ぐ取手８を設ける必要がある、という問題点があった。本発明では前記のような問題の解決を課題にする。
【課題を解決するための手段】
【０００５】
少なくても前壁と背壁とで袋体を形成し、該前壁と該背壁の各々の上部へ略水平方向に並べた四箇所の穿孔を開け、該穿孔の内側二つを吊穴とし、外側二つを滑穴とし、紐を一方と他方の二本で設けた場合は、一方の紐端の一方を前壁の一方の吊穴へ外から通して固定し、該一方の紐端の他方を他方の滑穴へ通して対岸の対面する他方の滑穴へも通して固定し、他方の紐は前記一方の紐通し構造を点対称（１８０度回転した状態）で行う。
【発明の効果】
【０００６】
吊穴に固定された紐は袋体の吊り下げの役目を果たし、滑穴に通された紐は両岸の前壁と背壁とを引き寄せる役目を果たすので、袋体の開口部を引き寄せて閉じることができ、前壁と背壁の双方は折れ曲がらずに引き寄せられるので、左右両側上部が折り重なることがなく、収納できる容量も減らず、紐の両端が穿孔箇所に固定されているので、紐の端が移動してズレる恐れはない。
【図面の簡単な説明】
【０００７】
【図１】開閉中間状態上正面斜視図である。（実施例１）
【図２】開口状態要部透視正面斜視図である。
【図３】閉口状態要部透視正面斜視図である。
【図４】開閉中間状態正面上斜視図である。（実施例２）
【図５】手提げ型閉じ状態正面斜視図である。
【図６】肩掛け型閉じ状態正面斜視図である。
【図７】開閉中間状態正面上斜視図である。（実施例３）
【発明を実施するための形態】
【０００８】
紐で吊り下げられた袋体及び収納物の重さで、開口部を紐で閉じることのできる吊り閉じ袋を実現した。
【実施例１】
【０００９】
図１は開閉中間状態上（上方向から見た）正面斜視図である。袋体１は不織布や織り布や人工樹脂であっても良いが、紙であることが望ましく、前記紙の厚みや固さは限定ではなくて適宜に腰のある厚紙であっても良いが、従来から一般的に使用されている紙袋の紙素材であることが望ましい。透視線は破線で表示し、折線は一点鎖線で表示し、谷折山折で表示する折り曲げ方向は袋体の外面からを基準にして表示し、図面の位置関係の表示は左右を横方向とし、前後を縦方向とする他に正面と背面として表示すると共に前と背にする場合もあり、天地を上下方向とする。紐２の素材と構造は限定ではなく、綿などの自然素材であっても良いが、摩耗強度（摩耗しにくい強さ）があって安価であることからアクリルやポリなどの人工樹脂製であることが望ましく、捻り紐であっても良いが摩耗強度があって解れにくいことから組紐であることが望ましい。
【００１０】
少なくても前壁３と背壁４とで袋体１を形成し、該袋体１は平な形状であっても良いが、該前壁３と該背壁４との左右両側に縦長矩形の襠壁５の前後縁を延設して矩形筒形状を形成し、前記矩形筒の形成構造は従来の紙袋を製造する構造と同じ技術であって、具体的に述べるならば、該襠壁５の横縁に接着片を延設して、前記接着片を前壁３或いは背壁４のどちらかの横端領域へ接着して前記矩形筒を形成するのであり、前記矩形筒の底辺に横長矩形の底壁６を延設した直方体の袋体１であることが望ましい。
【００１１】
前壁３と背壁４との各々の上部へ略水平方向に並んだ四箇所の穿孔７を貫通させて開け、該穿孔７どうしの間隔は限定ではなく、等間隔であっても良いが、中央を成人の手の平の幅と略同寸の間隔にすることが望ましい。
【００１２】
上記穿孔７は前壁３及び背壁４の中央垂直線を中心とする左右線対称の位置関係であることが望ましく、該穿孔７で前記中央垂直線に近い方（内側）を吊穴８とし、前記中央垂直線に対して遠い方（外側）を滑穴９とする。
【００１３】
吊穴８は全部で四箇所設けられており、該吊穴８の符号を個別に述べるならば、前壁３での左側を一方の吊穴８ａとし右側を他方の吊穴８ｂとし、背壁４は該前壁３に対して前後の面対称であって重なり合う位置関係であることから前後の吊穴どうしで対とし、前記対の場合は符号の右上に´を付けることにし、背壁４での左側を一方の吊穴８ａ´とし右側を他方の吊穴８ｂ´とする。
【００１４】
滑穴９は全部で四箇所設けられており、該滑穴９の符号を個別に述べるならば、前壁３での左側を一方の滑穴９ａとし右側を他方の滑穴９ｂとし、背壁４は該前壁３に対して前後の面対称であって重なり合う位置関係であることから前後の滑穴どうしで対とし、前記対の場合は符号の右上に´を付けることにし、背壁４での左側を一方の滑穴９ａ´とし右側を他方の滑穴９ｂ´とする。
【００１５】
袋体１は少なくても前壁３と背壁４だけを設けるだけで形成できるが、該前壁３と該背壁４だけで形成された袋体１は平なので平面的な物しか収納できず、袋体１の底に左右を横とする横長矩形の底壁６を設け、該底壁６の前後縁の各々には山折線を介して前壁３と背壁４が延設されており、該底壁６の左右両側縁の各々に縦長矩形の襠壁５を延設し、該襠壁５の正面縁に山折線を介して該前壁３の両側縁を延設し、該襠壁５の背面縁に山折線を介して該背壁４の両側縁を延設することで該袋体１は直方体の袋形状を成し、前記直方体形状を成した袋体１の天面は開口しており、前記開口領域を開口部１０とする。
【００１６】
上記襠壁５は左右で向かい合う面対称であり、個別に述べるならば左側を一方の襠壁５ａとし、右側を他方の襠壁５ｂとする。該襠壁５の中央に垂直な折線で襠折線１１を設け、該襠折線１１の折り曲げ方向は限定ではなく、利用者が任意で折り曲げ方向を変更することも可能で、山折線であっても良いが谷折線であることが望ましく、該襠折線１１を個別に述べるならば左側を一方の襠折線１１ａとし、右側を他方の襠折線１１ｂとする。
【００１７】
上記襠壁５の上部にも穿孔７を開けることが望ましく、該襠壁５に開けられた穿孔７を襠穴１２とし、該襠穴１２は襠折線１１を中心線とする前後の線対称で設けることが望ましく、該襠折線１１を谷折して折り畳まれた状態で襠壁５を折り重ねて滑穴９を貫通させる工程の延長で該襠穴１２を貫通させて設けることが望ましく、該襠穴１２は該滑穴９と重なり合う位置関係であることから該襠穴１２は全部で四箇所設けられており、該襠穴１２を個別に述べるならば、一方の襠壁５ａで正面側を襠穴１２ａとし背面側を襠穴１２ａ´とし、他方の襠壁５ｂで正面側を襠穴１２ｂとし背面側を襠穴１２ｂ´とする。
【００１８】
上記袋体１の穿孔７には紐２を通すのであり、紐２を一方の紐２ａと他方の紐２ｂとの二本で設け、吊穴８に通した該紐２の端の片方に吊玉１３を設けて固定し滑穴９に通した別の端に寄せ玉１４を設けて固定するのであり、該吊玉１３と該寄せ玉１４の形成構造は限定ではないが丸結び構造であることが望ましく、該寄せ玉１４は袋体１の外に出た状態で固定されているので、該寄せ玉１４へ別個のビーズ形状の被せ具を被せてもよく、前記被せ具は図示していないが、花の形などの飾り形状にしても良い。該寄せ玉１４は滑穴９の外へ出して固定するのが望ましいのであるが、該滑穴９の一つ手前である襠穴１２への固定であっても良く、該吊玉１３は一方の吊玉１３ａと他方の吊玉１３ｂとを設けており、該寄せ玉１４は一方の寄せ玉１４ａと他方の寄せ玉１４ｂとを設けている。
【００１９】
前壁３に開けた一方の吊穴８ａへ外（前）から通した一方の紐２ａの一方の端へ一方の吊玉１３ａを形成して該一方の吊穴８ａに固定する。該一方の吊穴８ａから袋体１の外に出ている一方の紐２ａの他方の端を前壁３の他方の滑穴９ｂに外（前）から通して同じ通し方向を維持したまま他方の正面側の襠穴１２ｂに通して背面側の襠穴１２ｂ´に通して背壁４の他方の滑穴９ｂ´に通して背面に出た一方の紐２ａの他方の端に他方の寄せ玉１４ｂを形成して該他方の滑穴９ｂ´に固定する。
【００２０】
背壁４に開けた他方の吊穴８ｂ´へ外（背）から通した他方の紐２ｂの他方の端へ他方の吊玉１３ｂを形成して該他方の吊穴８ｂ´に固定する。該他方の吊穴８ｂ´から袋体１の外に出ている他方の紐２ｂの他方の端を背壁４の一方の滑穴９ａ´に外（背）から通して同じ通し方向を維持したまま一方の背面側の襠穴１２ａ´に通して正面側の襠穴１２ａに通して前壁３の一方の滑穴９ａに通して正面に出た他方の紐２ｂの一方の端に一方の寄せ玉１４ａを形成して該一方滑穴９ａに固定する。
【００２１】
一方と他方の紐２の通し構造は上記の内容であることが望ましく、前記の望ましい紐２の通し構造を代表にして以降も述べるが、反転させた通し構造であっても良く、具体的に述べるならば前壁３に開けた他方の吊穴８ｂへ一方の紐２ａの他方の端を通して吊玉１３で固定し、該一方の紐２ａの一方の端を前壁３の一方の滑穴９ａへ前から通して襠穴１２ａ、１２ａ´に通して背壁４の一方の滑穴９ａ´に通して寄せ玉１４で固定し、他方の紐２ｂは前記一方の紐２ａと点対称の紐通し構造にすることで、上記反転させた通し構造にする。
【００２２】
図２は開口状態要部透視正面斜視図である。袋体１は上面の開口部１０を開口した略直方体形状であって、該開口部１０の縁は切断縁であっても良いが袋折された辺であることが望ましく、前記袋折辺を介して袋体１の内側へ袋折された帯領域を返し帯１５とする。図示していないが該返し帯１５の折返しによって補強用の厚紙を挟み込むことが望ましく、穿孔７は該返し帯１５及び前記厚紙の重なり合った状態で貫通させて設けている。
【００２３】
同一面上で吊穴８と遠い方の滑穴９との間に位置する紐２の領域を把持域１６にし、前後で向かい合って重なり合う対の滑穴９どうしの間に位置する紐２の領域を寄せ域１７にする。該把持域１６と該寄せ域１７を具体的な位置関係で述べるならば、一方の紐２で前壁３の一方の吊穴８ａから外に出て遠い方である他方の滑穴９ｂへ通された一方の領域を一方の把持域１６ａとし、前壁３の他方の滑穴９ｂへ外から通されて対岸の背壁４の他方の滑穴９ｂ´へ至るまでの領域を他方の寄せ域１７ｂとする。他方の紐２ｂで前壁３の一方の滑穴９ａから対岸の背壁４の一方の滑穴９ａ´へ至るまでの領域を一方の寄せ域１７ａとし、背壁４の一方の滑穴９ａ´から出て遠い方である他方の吊穴８ｂ´へ至るまでの領域を他方の把持域１６ｂとする。
【００２４】
寄せ域１７は前後で対面して対となる滑穴９どうしを引き寄せるだけでも開口部１０を閉じることはできるが、袋体１へ収納物を出し入れする場合、該寄せ域１７と前記収納物が接触するので邪魔になるが、襠穴１２に該寄せ域１７の中央領域を通すことで前記中央領域は袋体１の外に出ているので、収納物との接触が避けられて邪魔にならない。
【００２５】
図３は閉口状態要部透視正面斜視図である。一方の把持域１６ａと他方の把持域１６ｂとを引き上げることで袋体１が吊り下げられ、該袋体１の自重及び収納物の重みによって滑穴９から紐が引き出されて前壁３と背壁４との天縁が引き寄せられて開口部１０は閉じるのであり、吊穴８に通された紐２の端は吊玉１３で固定されて略垂直な状態で該袋体１を吊り下げているので、該前壁３と該背壁４の天縁を曲げようとする力が加わらず、該袋体１への負担が少ない状態で手提げすることができる。
【実施例２】
【００２６】
図４は開閉中間状態正面上（上方向から見た）斜視図である。袋体１の形状と穿孔７の位置は上記実施例１と同じであるが、紐２を単数で設けおり、該紐２の通し構造が異なる。
【００２７】
前壁３の一方の吊穴８ａに外（前）から通した紐２の一方の端へ一方の吊玉１３ａを形成して固定し、該紐２の他方の端を前壁３の他方の滑穴９ｂへ外（前）から通して同じ通し方向を維持したまま他方の正面側の襠穴１２ｂへ通して他方の背面側の襠穴１２ｂ´に通して背壁４の他方の滑穴９ｂ´に通して袋体１の背面の外へ出して一方の滑穴９ａ´に外（背）から通して同じ通し方向を維持したまま一方の背面側の襠穴１２ａ´に通して一方の正面側の襠穴１２ａに通して前壁３の一方の滑穴９ａに通して袋体１の正面の外へ出して他方の吊穴８ｂに外（前）から通した紐２の他方の端に他方の吊玉１３ｂを形成して固定する。
【００２８】
上記紐２の領域に名称を付けて位置関係を説明するならば、背壁４の一方の滑穴９ａ´と他方の滑穴９ｂ´との間の領域を肩掛け域１８とし、前壁３の一方の吊穴８ａから他方の滑穴９ｂの間の領域を一方の把持域１６ａとし、該前壁３の一方の滑穴９ａから他方の吊穴８ｂの間の領域を他方の把持域１６ｂとする。該一方の把持域１６ａと該他方の把持域１６ｂは前壁３の前で交差しており、前記前壁３の前の交差箇所を前交差部１９とする。
【００２９】
図５は手提げ型閉じ状態要部透視正面斜視図である。実施例１では閉じ状態は手提げしかできなかったが、実施例２では紐２の長さを切り替えて閉じることができるので、手提げ型の他、後述する肩掛け型にすることもできる。
【００３０】
把持域１６は前壁３の前にだけ垂れ下がっており、一方の把持域１６ａと他方の把持域１６ｂとの交差箇所である前交差部１９に手を添えた状態で引き上げることで一方の滑穴９ａと他方の滑穴９ｂから紐２が正面へ引き出されて把持域１６が長くなり、該把持域１６が長くなるのと同調して袋体１の開口部１０が前後から引き寄せられて閉じる。
【００３１】
前交差部１９に手を添えることは摘んだり握ったりなどの固定ではないので、該前交差部１９は手に沿った状態で滑っており、前記の滑り効果によって該把持域１６は正面へ引き出されて手提げ型になる。前記手提げ型は該把持域１６だけを吊り下げても良いが、該把持域１６を少しだけ短くした手提げ型にする場合は、背壁４から出ている肩掛け域１８を引くことで該把持域１６の領域が背面引き込まれた分だけ短くなり、該把持域１６と該肩掛け域１８を一緒に吊り下げると該把持域１６は短くなる。
【００３２】
紐２の両端は前壁３の上部に穿孔して貫通された一方の吊穴８ａと他方の吊穴８ｂへ外（前）から差し込まれて一方の吊玉１３ａと他方の吊玉１３ｂを形成して固定されているので、前交差部１９を引き上げれば一方の滑穴９ａと他方の滑穴９ｂからだけ紐２が正面へ引き出されるので、一方の把持域１６ａと他方の把持域１６ｂは均等に引き出されて均等な長さになる。
【００３３】
図６は肩掛け型閉じ状態要部透視正面斜視図である。前壁３側の前交差部１９を引き上げれば把持域１６が引き出されて図５で示した手提げ型になるが、背壁４側の肩掛け域１８を引き上げれば一方の滑穴９ａと他方の滑穴９ｂから紐２が背面へ引き込まれて該把持域１６が短くなるのと同調して該肩掛け域１８が長くなって肩掛け型に切り替わり、該肩掛け域１８の長さは該紐２全体の半分程度の長さで引き出されている。
【００３４】
上記肩掛け域１８の両端は折り畳まれた襠壁５と重なり合う袋体１の端領域から背面へ抜き出ているので該肩掛け域１８の領域内に肩を入れ易くなって肩掛け型として使用し易くなる。
【００３５】
先行技術文献１の紐の両端は結び目によって環状把手紐になっており、該結び目は固定されていないので移動する恐れはあるが、本願実施の紐２の両端は前壁３の一方の吊穴８ａと他方の吊穴８ｂに外（前）から通されて一方の吊玉１３ａと他方の吊玉１３ｂを形成されて固定されているので肩掛け域１８を引き出しても紐２の端が移動する恐れは無いので該紐２がズレる恐れが無くなり、先行技術文献３では紐の略（約）半分を引き出すことは構造的に不可能である。
【実施例３】
【００３６】
図７は開閉中間状態正面上（上方向から見た）斜視図である。袋体１の形状と穿孔７の位置は上記実施例１及び実施例２と同じであっても良く、紐２を一方の紐２ａと他方の紐２ｂの二本で設けている箇所は実施例１と同じであるが、該紐２の通し構造が異なっており、大きく異なる箇所は跨ぎ交差部２０を設けたことであり、該跨ぎ交差部２０の設け方を具体的に述べることにする。
【００３７】
前壁３に開けた一方の吊穴８ａへ外（前）から通した一方の紐２ａの一方の端へ一方の吊玉１３ａを形成して該一方の吊穴８ａに固定する。該一方の吊穴８ａから袋体１の外に出ている一方の紐２ａの他方の端を該袋体１の開口部１０を跨いで背壁４の他方の滑穴９ｂ´に外（背）から通して同じ通し方向を維持したまま他方の背面側の襠穴１２ｂ´に通して正面側の襠穴１２ｂに通して前壁３の他方の滑穴９ｂに通して正面に出た一方の紐２ａの他方の端に他方の寄せ玉１４ｂを形成して該他方の滑穴９ｂに固定する。
【００３８】
前壁３に開けた他方の吊穴８ｂへ外（前）から通した他方の紐２ｂの他方の端へ他方の吊玉１３ｂを形成して該他方の吊穴８ｂに固定する。該他方の吊穴８ｂから袋体１の外に出ている他方の紐２ｂの一方の端を該袋体１の開口部１０を跨いで背壁４の一方の滑穴９ａ´に外（背）から通して同じ通し方向を維持したまま一方の背面側の襠穴１２ａ´に通して正面側の襠穴１２ａに通して前壁３の一方の滑穴９ａに通して正面に出た他方の紐２ｂの一方の端に一方の寄せ玉１４ａを形成して該一方の滑穴９ａに固定する。
【００３９】
一方の紐２ａと他方の紐２ｂは袋体１天面の開口部１０を跨いで交差しており、前記跨いで交差している箇所を跨ぎ交差部２０とする。該跨ぎ交差部２０に手を添えて引き上げることで該跨ぎ交差部２０の交差箇所の双方の紐２が逆方向へ滑り合って、背壁４の一方の滑穴９ａ´から一方の寄せ域１７ａが背方へ引き出されると同時に背壁４の他方の滑穴９ｂ´から他方の寄せ域１７ｂが背方へ引き出されるので該開口部１０の前後天縁が引き寄せられて閉じ、該跨ぎ交差部２０を把持することで手提げ型として使用できる。
【００４０】
実施例３は基本的には手提げとしての利用を目的としているが、実施例１よりも紐２を長くする必要があり、紐２が長くなったことから肩掛けとしても利用可能になると共に更に紐２を長くすれば背負うことも可能になる。該紐２が長くなる理由として、紐２の双方が開口部１０を跨いでいるからであり、袋体１へ収納物を出し入れする作業では紐２を袋体１の周囲へ出して垂らす必要があり、前記の紐出し状態にするには跨ぎ交差部２０を前壁３の前に垂らす構造が紐２の長さを最短にしたできる構造であり、前記前壁３への垂らし状態では一方の吊穴８ａと他方の吊穴８ｂとの間で紐２が二重になっており、前記の重なり領域だけ紐２が長くなるので、該一方の吊穴８ａと該他方の吊穴８ｂとの間を狭くすることで紐２を短くできる。
【００４１】
開口部１０の閉じ方は上記したように跨ぎ交差部２０を引き上げることで行えるが、背壁４の一方の滑穴９ａ´と他方の滑穴９ｂ´から背方へ出た直後の紐２の領域を摘んで左右外側の反対方向へ互いに引くことで効率良く寄せ域１７ｂを引き出して開口部１０の前後縁を引き寄せて閉じることができる。
【産業上の利用可能性】
【００４２】
本発明は手提げ袋の他、紐を更に長くすることで背負袋として使用することもできる。
【符号の説明】
【００４３】
１  袋体
２、２ａ、２ｂ  紐
３  前壁
４  背壁
５、５ａ、５ｂ  襠壁
６  底壁
７  穿孔
８、８ａ、８ａ´、８ｂ、８ｂ´  吊穴
９、９ａ、９ａ´、９ｂ、９ｂ´  滑穴
１０  開口部
１１、１１ａ、１１ｂ  襠折線
１２、１２ａ、１２ａ´、１２ｂ、１２ｂ´  襠穴
１３、１３ａ、１３ｂ  吊玉
１４、１４ａ、１４ｂ  寄せ玉
【図１】
2015024844.tif 000003
【図２】
2015024844.tif 000004
【図３】
2015024844.tif 000005
【図４】
2015024844.tif 000006
【図５】
2015024844.tif 000007
【図６】
2015024844.tif 000008
【図７】
2015024844.tif 000009
【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
少なくても前後で対面する面対称の前壁と背壁とで袋体を形成し、該前壁と該背壁の上部の各々へ略水平方向に並ぶ穿孔を四箇所ずつ開け、該穿孔の内側二箇所を一方と他方の吊穴とし、該穿孔の外側二箇所を一方と他方の滑穴とし、該穿孔へ通す紐を一方と他方の二本で設け、一方の紐の一方の端を前壁の一方の吊穴へ外（前）から通した該紐の一方の端へ一方の吊玉を設けて固定し、該一方の紐の他方の端を前壁の他方の滑穴へ外（前）から通して対岸の背壁の他方の滑穴へ内（前）から通した該紐端へ他方の寄せ玉を設けて固定し、他方の紐の他方の端を背壁の他方の吊穴へ外（背）から通した該紐の他方の端へ他方の吊玉を形成して固定し、該他方の紐の一方の端を背壁の一方の滑穴へ外（背）から通して対岸の前壁の一方の滑穴へ内（背）から通した該紐端へ一方の寄せ玉を設けて固定したことを特徴とする吊り閉じ袋。
【請求項２】
紐を一本で設け、該紐の一方の端を前壁の一方の吊穴へ外（前）から通した前記一方の端へ一方の吊玉を形成して固定し、該紐の他方の端を前壁の他方の滑穴へ外（前）から通して対岸の背壁の他方の滑穴へ内（前）から通して対岸の滑穴を引き寄せる箇所として設けた肩掛け域を経由して背壁の一方の滑穴へ外（背）から通して対岸の前壁の一方の滑穴へ内（背）から通して該前壁の他方の吊穴へ外（前）から通して前記他方の端へ他方の吊玉を形成して固定したことを特徴とする請求項１記載の吊り閉じ袋。
【請求項３】
紐を一方と他方の二本で設け、一方の紐の一方の端を前壁の一方の吊穴へ外（前）から通した該紐の一方の端へ一方の吊玉を形成して固定し、該一方の紐の他方の端を背壁の他方の滑穴へ外（背）から通して対岸の前壁の他方の滑穴へ内（背）から通した該紐端へ対岸の滑穴を引き寄せる箇所として他方の寄せ玉を設けて固定し、他方の紐の他方の端を前壁の他方の吊穴へ外（前）から通した該紐の他方の端へ他方の吊玉を形成して固定し、該他方の紐の一方の端を背壁の一方の滑穴へ外（背）から通して対岸の前壁の一方の滑穴へ内（背）から通した該紐端へ対岸の滑穴を引き寄せる箇所として一方の寄せ玉を設けて固定したことを特徴とする請求項１記載の吊り閉じ袋。